(57)【要約】【課題】見栄えが良く、シンプルな構成によって良好な組付け状態を維持することのできる水栓カバー及びこれを備えた水栓を提供すること。【解決手段】水栓本体２の上方に該水栓本体２を覆うように配置される上方カバー部分１１Ａを有し、この上方カバー部分１１Ａが、前記水栓本体２を有する水栓１に連結される連結ステー４に載置される。【選択図】図３
2010248713.tif 000002
【特許請求の範囲】
【請求項１】
水栓本体の上方に該水栓本体を覆うように配置される上方カバー部分を有し、この上方カバー部分が、前記水栓本体を有する水栓に連結される連結ステーに載置される水栓カバー。
【請求項２】
前記上方カバー部分にリブ又は段部が設けられ、前記上方カバー部分が前記連結ステーに載置された状態では前記リブ又は段部が該連結ステーに当接する請求項１に記載の水栓カバー。
【請求項３】
前記連結ステーは、前記水栓本体に接続される二つの偏心管にわたって連結される請求項１または２に記載の水栓カバー。
【請求項４】
前記上方カバー部分の下面から下方に向けて延びる二つの弾性片を有し、前記二つの弾性片又は前記連結ステーの何れか一方に係合部が設けられ、他方に前記係合部が係合する被係合部が設けられている請求項１〜３の何れかに記載の水栓カバー。
【請求項５】
前記弾性片よりも左右方向外側に配置される側方カバー部分を備え、前記側方カバー部分に、前記弾性片に当接する部分が連設されている請求項４に記載の水栓カバー。
【請求項６】
前記水栓の左右側方に配置され、前記上方カバー部分に連結される側方カバー部分を備えた請求項１〜４の何れかに記載の水栓カバー。
【請求項７】
前記上方カバー部分と前記側方カバー部分とは、それぞれの左右端から左右方向内側に位置する部分において連結されている請求項６に記載の水栓カバー。
【請求項８】
水栓本体の上方に該水栓本体を覆うように配置される上方カバー部分と、
前記水栓本体の左右側方に配置され、前記上方カバー部分に連結される側方カバー部分とを備え、
前記側方カバー部分の上部には、前記上方カバー部分の左右端部を保持する保持部分が設けられ、該保持部分は、後側ほど幅広となる平面視形状を有する水栓カバー。
【請求項９】
前記上方カバー部分の左右端は後側ほど左右方向外側に位置し、前記上方カバー部分の後部と前記側方カバー部分の後部とは、それぞれの左右端から左右方向内側に位置する部分において連結されている請求項８に記載の水栓カバー。
【請求項１０】
請求項１〜９のいずれかに記載の水栓カバーを備えた水栓。
【発明の詳細な説明】
【技術分野】
【０００１】
本発明は、水栓カバー及びこれを備えた水栓に関する。
【背景技術】
【０００２】
従来の水栓カバーとして、水栓本体の上方に配置される上方カバー部分と、水栓本体の左右に配置される側方カバー部分とを備え、上方カバー部分を有する上カバーと側方カバー部分を有する横カバーとが別体となっているものがある。
【０００３】
そして、この水栓カバーにおいて、上カバーに対して横カバーを強固に取り付けるために、側方カバー部分に係止爪を連設すると共に、上方カバー部分の背面側から下部に折り返されて形成された折り返し部に係止孔を設け、係止爪を係止孔に係止させることが考えられる（例えば、特許文献１参照）。
【先行技術文献】
【特許文献】
【０００４】
【特許文献１】特開２００８−２３１８７４号公報
【発明の概要】
【発明が解決しようとする課題】
【０００５】
しかし、前記水栓カバーでは、上カバーに対して横カバーが背面側において係止するに過ぎず、上側から加わった下向き荷重によって上方カバー部分の中央部が凹み得る。そして、上方カバー部分が凹むとなれば、水栓カバーは見栄えの点で低い評価を受け兼ねない上、上方カバー部分の凹みに伴って、係止孔から係止爪が離脱し易くなったり、上カバーと横カバーとの間に大きな隙間が形成されてしまったりする等、組付け（取付け）状態が悪化する恐れもある。
【０００６】
本発明は上述の実情に鑑みてなされたもので、その目的は、見栄えが良く、シンプルな構成によって良好な組付け状態を維持することのできる水栓カバー及びこれを備えた水栓を提供することにある。
【課題を解決するための手段】
【０００７】
上記目的を達成するために、本発明に係る水栓カバーは、水栓本体の上方に該水栓本体を覆うように配置される上方カバー部分を有し、この上方カバー部分が、前記水栓本体を有する水栓に連結される連結ステーに載置される（請求項１）。
【０００８】
上記水栓カバーにおいて、前記上方カバー部分にリブ又は段部が設けられ、前記上方カバー部分が前記連結ステーに載置された状態では前記リブ又は段部が該連結ステーに当接するように構成されていてもよい（請求項２）。
【０００９】
上記水栓カバーにおいて、前記連結ステーは、前記水栓本体に接続される二つの偏心管にわたって連結されるものであってもよい（請求項３）。
【００１０】
上記水栓カバーが、前記上方カバー部分の下面から下方に向けて延びる二つの弾性片を有し、前記二つの弾性片又は前記連結ステーの何れか一方に係合部が設けられ、他方に前記係合部が係合する被係合部が設けられていてもよい（請求項４）。
【００１１】
上記水栓カバーが、前記弾性片よりも左右方向外側に配置される側方カバー部分を備え、前記側方カバー部分に、前記弾性片に当接する部分が連設されていてもよい（請求項５）。
【００１２】
上記水栓カバーが、前記水栓の左右側方に配置され、前記上方カバー部分に連結される側方カバー部分を備えていてもよい（請求項６）。
【００１３】
上記水栓カバーにおいて、前記上方カバー部分と前記側方カバー部分とは、それぞれの左右端から左右方向内側に位置する部分において連結されていてもよい（請求項７）。
【００１４】
また、本発明に係る水栓カバーが、水栓本体の上方に該水栓本体を覆うように配置される上方カバー部分と、
前記水栓本体の左右側方に配置され、前記上方カバー部分に連結される側方カバー部分とを備え、
前記側方カバー部分の上部には、前記上方カバー部分の左右端部を保持する保持部分が設けられ、該保持部分は、後側ほど幅広となる平面視形状を有するものであってもよい（請求項８）。
【００１５】
上記水栓カバーにおいて、前記上方カバー部分の左右端は後側ほど左右方向外側に位置し、前記上方カバー部分の後部と前記側方カバー部分の後部とは、それぞれの左右端から左右方向内側に位置する部分において連結されていてもよい（請求項９）。
【００１６】
一方、上記目的を達成するために、本発明に係る水栓は、請求項１〜９のいずれかに記載の水栓カバーを備えている（請求項１０）。
【発明の効果】
【００１７】
請求項１に係る発明では、見栄えが良く、シンプルな構成によって良好な組付け状態を維持することのできる水栓カバー及びこれを備えた水栓が得られる。
【００１８】
すなわち、請求項１に係る発明では、上方カバー部分を連結ステーに載置させるというシンプルな構成によって、上側から加わった下向き荷重によって上方カバー部分の中央部が凹むことを効果的に防止することができ、上方カバー部分は凹まないので見栄えの点でも向上を図ることができる。
【００１９】
さらに、上方カバー部分に連結される側方カバー部分を備えた場合には（請求項６、７）、上方カバー部分が凹むことに伴って側方カバー部分が離脱し易くなったり上方カバー部分と側方カバー部分との間に隙間が形成されたりするといった不都合も生じないので、良好な組付け状態を維持することができる。
【００２０】
請求項２に係る発明では、上記の効果を、上方カバー部分に設けられたリブ又は段部を連結ステーに当接させるというこれもまたシンプルな構成によって大いに高めることができる。
【００２１】
請求項３に係る発明では、連結ステーによって、例えば壁面に対する固定の際に二つの偏心管が回動しなくなるので、施工性の向上を図ることができる。
【００２２】
請求項４に係る発明では、上方カバー部分が強く固定されて非常に安定する。
【００２３】
請求項５に係る発明では、外力によって側方カバー部分が上方カバー部分の内側に入り込んでしまうことは確実に防止され、更には、弾性片に対する側方カバー部分の当接により上方カバー部分が変形し難くなり、上方カバー部分の中央部が凹むことが一層強力に防止されることになる。
【００２４】
請求項６〜９に係る発明では、上カバー１１と左右のカバー１２，１３との間に隙間が生じることや、この隙間によってガタツキが生じることはより確実に防止される。
【００２５】
そして、請求項１０に係る発明では、上記種々の効果を奏する水栓が得られる。
【図面の簡単な説明】
【００２６】
【図１】本発明の一実施の形態に係る水栓の使用状態を概略的に示す斜視図である。
【図２】（Ａ）及び（Ｂ）は前記水栓の構成を概略的に示す斜視図である。
【図３】前記水栓の構成を概略的に示す分解斜視図である。
【図４】前記水栓の構成を概略的に示す分解斜視図である。
【図５】（Ａ）及び（Ｂ）は横カバー及び下カバーを除いた状態の前記水栓の構成を概略的に示す斜視図及び背面図である。
【図６】前記水栓の主に背面側の構成を概略的に示す部分切断斜視図である。
【図７】（Ａ）及び（Ｂ）は前記水栓の要部の構成を概略的に示す分解斜視図である。
【図８】（Ａ）及び（Ｂ）は上カバーを除いていない状態及び除いた状態の前記水栓の構成を概略的に示す平面図である。
【図９】（Ａ）〜（Ｃ）は前記水栓の上カバーの構成を概略的に示す平面図、正面図及び底面図、（Ｄ）は（Ｂ）のＡ−Ａ線断面図、（Ｅ）は上カバーの側面図、（Ｆ）は（Ｃ）のＢ−Ｂ線断面図、（Ｇ）は上カバーの背面図、（Ｈ）は上カバーの斜視図である。
【図１０】（Ａ）〜（Ｇ）は前記水栓の横カバーの構成を概略的に示す斜視図、平面図、内側面図、底面図、正面図、外側面図及び背面図である。
【図１１】（Ａ）〜（Ｃ）は前記水栓の下カバーの構成を概略的に示す正面図、底面図及び側面図、（Ｄ）は（Ａ）のＡ−Ａ線断面図、（Ｅ）〜（Ｇ）は下カバーの平面図、背面図及び斜視図、（Ｈ）は（Ａ）のＢ−Ｂ線断面図である。
【図１２】（Ａ）〜（Ｄ）は前記水栓の連結ステーの構成を概略的に示す背面図、底面図、側面図及び斜視図である。
【図１３】（Ａ）及び（Ｂ）は前記水栓の上カバーの変形例の構成を概略的に示す底面図及び背面図である。
【発明を実施するための形態】
【００２７】
以下、本発明を実施するための形態について図面を参照しながら説明する。
【００２８】
図１に示すように、本発明の一実施の形態に係る水栓（以下、「本水栓」と略記する）１は、いわゆる壁面取付型のカバー水栓であり、浴室の壁面Ｗに取り付けられている。尚、図１において、Ｃはカウンタ、Ｈはシャワーホースであり、シャワーホースＨは本水栓１に接続され、その下流側にはハンドシャワーヘッドＨａが設けられている。
【００２９】
本水栓１は、図３及び図４に示すように、左右方向に延びる略円筒状の水栓本体２を備え、この水栓本体２には二つの偏心管３，３が後方から接続されている。そして、二つの偏心管３，３の上流側には、図外の湯水供給用の供給配管がそれぞれ接続され、二つの供給配管から偏心管３，３内に至った湯及び水は水栓本体２内に別々に導入される。
【００３０】
図３、図４、図５（Ｂ）、図６に示すように、偏心管３には偏心管３自体を壁面Ｗに固定するためのステー部分３ａが設けられていて、このステー部分３ａに形成された取付孔３ｂを挿通するねじ等の取付部材（図示していない）によって偏心管３は壁面Ｗに取り付けられる。さらに、各偏心管３には止水栓が設けられており、図４において、３ｃはその止水操作を行うための操作部である。
【００３１】
ここで、壁面Ｗに対する二つの偏心管３の固定の際に、二つの偏心管３，３にわたって連結ステー４（図３及び図４参照）が連結されるのであり、これにより、両者３，３間の距離は一定（例えば１００ｍｍ）に保たれる。
【００３２】
連結ステー４は、例えばＰＰ（ポリプロピレン）等の合成樹脂からなり、図１２（Ａ）〜（Ｄ）に示すように、略直方体形状の中空ブロックから下面と背面とを取り除いた外観を呈する部材であり、天板部４ａと、前板部４ｂと、左右の側板部４ｃ，４ｃとを有している。
【００３３】
そして、前板部４ｂの左右に設けられた連結孔４ｄと（図３、図４、図１２（Ａ）及び（Ｄ）参照）、各偏心管３に設けられた連結孔３ｄ（図３参照）との位置合わせを行い、両連結孔３ｄ，４ｄを挿通するビス等の連結部材ｄ（図５（Ａ）参照）を用いることにより、連結ステー４を二つの偏心管３，３にわたって連結することができる。
【００３４】
また、偏心管３，３から水栓本体２の内部に導入された湯水を水栓本体２の外部に導出するための導出部として、吐水口５と、シャワーエルボ６とが設けられている（図４参照）。ここで、図４に示すように、吐水口５は、水栓本体２の左右方向における中央部から前方に突出するノーズ部２ａの下部に設けられ、シャワーエルボ６は、水栓本体２の左右方向における中央部の後面側から外部に向けて延びている（図５（Ｂ）も参照）。尚、上述のシャワーホースＨ（図１参照）はこのシャワーエルボ６に接続される。
【００３５】
また、図３及び図４に示すように、水栓本体２には、二つのハンドル７，８が取り付けられ、一方のハンドル７により、導出部（吐水口５又はシャワーエルボ６）から水栓本体２の外部に導出される湯水の温度を調節することができ、他方のハンドル８により、導出部の切替え（湯水を吐水口５から導出する状態とシャワーエルボ６から導出する状態との切替え）と、導出（吐水）流量の調整（止水状態も含む）とを行うことができる。
【００３６】
そして、本水栓１は、水栓本体２と、偏心管３，３と、各偏心管３に接続される図外の供給配管と、連結ステー４とを覆う水栓カバーを備えている（図２（Ａ）及び（Ｂ）参照）。尚、図２（Ａ）及び（Ｂ）に示すように、操作部３ｃ，３ｃと、吐水口５と、シャワーエルボ６と、二つのハンドル７，８とは、それぞれの機能を発揮する必要上、水栓カバーによって覆われず外部に露出する。
【００３７】
水栓カバーは、例えばＡＢＳ樹脂等の合成樹脂からなり、図３及び図４に示すように、上カバー１１と、右カバー１２と、左カバー１３と、下カバー１４とを備えている。
【００３８】
次に、本水栓１における上記水栓カバー（の取付構造）の詳細な説明も兼ねて、本水栓１の組付け及び設置方法について説明する。
【００３９】
（１）二つの偏心管３，３、吐水口５、シャワーエルボ６、二つのハンドル７，８を備えた水栓本体２を有する本水栓１に対して（図３及び図４参照）、連結ステー４が連結される。尚、本例では、二つの偏心管３，３に連結ステー４が連結される。
【００４０】
（２）水栓本体２に対して上カバー１１が取り付けられ、このとき、上カバー１１は連結ステー４に連結される。
【００４１】
すなわち、上カバー１１は、図２（Ａ）及び（Ｂ）、図３、図４、図５（Ａ）、図９（Ａ）〜（Ｈ）に示すように（特に、図２（Ａ）と図３とを対比し、また、図２（Ｂ）と図４とを対比すれば明らかなように）、水栓本体２、偏心管３，３、連結ステー４の上方にこれらを覆うように配置される上方カバー部分１１Ａと、水栓本体２の前部を覆う前方カバー部分１１Ｂとを有している。
【００４２】
上方カバー部分１１Ａの平面視は、後部側ほど左右に広がる略等脚台形状をしている（図１、図８（Ａ）、図９（Ａ）参照）。そして、図４、図７（Ａ）、図９（Ｃ）〜（Ｅ）に示すように、上方カバー部分１１Ａの後部の左右には、上方カバー部分１１Ａの下面から下向きに延びる弾性片１５，１５が連設されており、各弾性片１５に形成された係合孔（被係合部の一例）１５ａと、連結ステー４の左右の側板部４ｃ，４ｃにそれぞれ形成された係合突起（係合部の一例）４ｅとの係合により、上カバー１１は連結ステー４に取り付けられる（図５（Ａ）、図６参照）。
【００４３】
一方、前方カバー部分１１Ｂは、ノーズ部２ａ等が設けられた水栓本体２の前部にほぼ沿うように形成され、図３、図４、図９（Ｃ）及び（Ｈ）に示すように、前方カバー部分１１Ｂの下部の左右には、後方に向けて延びる突設部分１６が設けられている。そして、各突設部分１６に形成された貫通孔１６ａと、水栓本体２の下部の左右に形成された雌ねじ部２ｂ（図４参照）との位置合わせが行われ、貫通孔１６ａを貫通し雌ねじ部２ｂに螺着するねじ部材ｓ（図７（Ｂ）参照）によって、上カバー１１は水栓本体２に取り付けられる。
【００４４】
ここで、図４、図９（Ｃ）及び（Ｇ）に示すように、上方カバー部分１１Ａの下面には、前後方向に延びる複数（図示例では五つ）のリブ１７が設けられている。従って、上カバー１１は水栓本体２及び連結ステー４に取り付けられると、リブ１７が連結ステー４の天板部４ａに当接して上方カバー部分１１Ａが連結ステー４に載置された状態になる。尚、各リブ１７の上下方向の厚みは、後側ほど大きくなっている（図４、図９（Ｅ）参照）。
【００４５】
（３）上カバー１１に対して右カバー１２及び左カバー１３が取り付けられる。
【００４６】
すなわち、右カバー１２及び左カバー１３は、二つの偏心管３，３や連結ステー４の左右側方にこれらの部材３，４を左右から覆うように配置される側方カバー部分を構成する部材である。
【００４７】
右カバー１２は、図１０（Ａ）〜（Ｇ）に示すように、略板状の部材であり、図３、図４、図１０（Ａ），（Ｃ），（Ｆ）に示すように、右カバー１２の側面視は、前側が湾曲状に切り欠かれた略矩形状をしており、上縁には後側向きに若干の上り傾斜がつけられている。また、図８（Ａ）及び（Ｂ）を対比すれば明らかなように、右カバー１２の上部には、上方カバー部分１１Ａの正面視における右端部を保持する保持部分１８が設けられ、保持部分１８の平面視は、後側ほど幅広となる略三角形状をしている。
【００４８】
そして、図７（Ａ）及び（Ｂ）に示すように、保持部分１８の前後と右カバー１２の下部の計三箇所にそれぞれ形成された係合孔（被係合部の一例）１９に、上カバー１１の上方カバー部分１１Ａの正面視右側の前後と突設部分１６の計三箇所にそれぞれ形成された係合爪（係合部の一例）２０が係合されることにより、右カバー１２は上カバー１１に取り付けられる。
【００４９】
このように、上カバー１１に取り付けられた右カバー１２は、保持部分１８の一部が上方カバー部分１１Ａに設けられた弾性片１５に当接するので（図６参照）、外力によって右カバー１２が上カバー１１の内側に入り込んでしまうことは防止される。
【００５０】
尚、左カバー１３は、図３及び図４に示すように、右カバー１２の鏡像をなす部材（右カバー１２に対して面対称となる部材）であり、上カバー１１に対する取付けは右カバー１２と同様に行える。
【００５１】
（４）偏心管３，３を壁面Ｗに固定する。
【００５２】
（５）各偏心管３に供給配管を接続する。
【００５３】
（６）最後に、下カバー１４（図１１（Ａ）〜（Ｈ）参照）を、上カバー１１、右カバー１２、左カバー１３により形成される開口部に対して下方から嵌め込み、図１に示す状態にする（図２（Ａ）及び（Ｂ）も参照）。
【００５４】
上記構成を備えた本水栓１では、上方カバー部分１１Ａを連結ステー４に載置させるというシンプルな構成によって、上側から加わった下向き荷重によって上方カバー部分１１Ａの中央部が凹むことを効果的に防止することができ、この効果は、上方カバー部分１１Ａに設けられたリブ１７を連結ステー４の天板部４ａに当接させるというこれもまたシンプルな構成によって大いに高まることになる。そして、上方カバー部分１１Ａは凹まないので見栄えが良く、さらに、上方カバー部分１１Ａが凹むことに伴って左右のカバー１２，１３が離脱し易くなったり上カバー１１と左右のカバー１２，１３との間に隙間が形成されたりするといった不都合も生じないので、良好な組付け状態を維持することができる。
【００５５】
また、水栓本体２に接続される二つの偏心管３，３にわたって連結ステー４が連結されるので、壁面Ｗに対する固定の際に二つの偏心管３，３が回動せず、施工性の向上を図ることもできる。
【００５６】
さらに、連結ステー４に上方カバー部分１１Ａの弾性片１５，１５を係合させるので、上方カバー部分１１Ａを有する上カバー１１が強く固定されて非常に安定する。
【００５７】
加えて、二つの弾性片１５，１５よりも左右方向外側に配置される左右のカバー１２，１３に、弾性片１５，１５に当接する部分（保持部分１８）を設けてあるので、上述したように、外力によって左右のカバー１２，１３が上カバー１１の内側に入り込んでしまうことは確実に防止され、更には、弾性片１５，１５に対するカバー１２，１３の当接により上方カバー部分１１Ａが変形し難くなり、上方カバー部分１１Ａの中央部が凹むことが一層強力に防止されることになる。
【００５８】
しかも、上方カバー部分１１Ａの左右端は後側ほど左右方向外側に位置すると共に、左右のカバー１２，１３の保持部分１８は後側ほど幅広となる平面視形状を有し、上方カバー部分１１Ａと保持部分１８との接触面積は大である上、上方カバー部分１１Ａの後部と左右のカバー１２，１３の後部とは、それぞれの左右端から左右方向内側に位置する部分（係合爪２０、係合孔１９）において連結されているので、上カバー１１と左右のカバー１２，１３との間に隙間が生じることや、この隙間によってガタツキが生じることはより確実に防止される。
【００５９】
尚、上記構成を有する本水栓１において、係合部と被係合部とによって互いに係合しあう部材間の係合構造は、例えば係合部と被係合部とをそれぞれ逆の部材側に設ける等、適宜変更可能であることは言うまでもなく、この例に限られず、本水栓１において、各部材の材料や形状等の構成要素は適宜変更することができる。
【００６０】
例えば、偏心管３は、水栓本体２と上記供給配管とを接続する接続部材の一例であり、偏心管３に代わる継手を設けてもよいし、供給配管を水栓本体２に直接接続するようにしてもよく、これらの場合、継手又は供給配管を壁面Ｗに固定するための固定手段を設ければよい。
【００６１】
また、本水栓１では、左右のカバー１２，１３の保持部分１８を上カバー１１の弾性片１５，１５に当接させることにより、左右のカバー１２，１３が上カバー１１内に入り込むことを防止しているが、これに代えて、例えば、左右のカバー１２，１３の一部が連結ステー４に当接するようにしてもよい。
【００６２】
また、本水栓１では、上カバー１１が樹脂製であることを前提にしてリブ１７を設けて上カバー１１の強度向上を図っているが、例えば上カバー１１が金属製であれば、リブ１７に代えて、段部１７ａ（図１３（Ａ）及び（Ｂ））を設け、上方カバー部分１１Ａが連結ステー４に載置された状態では段部１７ａが連結ステー４に当接するようにしてもよい。
【符号の説明】
【００６３】
１    水栓
２    水栓本体
３    偏心管
４    連結ステー
１１Ａ  上方カバー部分
【図１】
2010248713.tif 000003
【図２】
2010248713.tif 000004
【図３】
2010248713.tif 000005
【図４】
2010248713.tif 000006
【図５】
2010248713.tif 000007
【図６】
2010248713.tif 000008
【図７】
2010248713.tif 000009
【図８】
2010248713.tif 000010
【図９】
2010248713.tif 000011
【図１０】
2010248713.tif 000012
【図１１】
2010248713.tif 000013
【図１２】
2010248713.tif 000014
【図１３】
2010248713.tif 000015